(57)【要約】【課題】着用者の動きに良好に追随して変形することができ、経血の洩れや着用者からの脱落を防止することが可能な陰唇間パッドを提供する。【解決手段】陰唇間パッドは、肌当接面側の液透過性の表面シート２と、裏面シート４と、表面シート２と裏面シート４との間に介在されて体液を吸収し保持可能な吸収体３とで形成される。陰唇間パッドは長手方向中心軸を中心に屈曲され、陰唇間に挟み込まれて装着される。表面シート２に、短手方向に沿って形成され長手方向中心軸を曲げ可能とする複数列の曲げ可能部１６を長手方向に沿って設けた。【選択図】図６
2009240673.tif 000002
【特許請求の範囲】
【請求項１】
肌当接面側の液透過性の表面シートと、裏面シートと、前記表面シートと前記裏面シートとの間に介在されて体液を吸収し保持可能な吸収体とで形成され、短手方向の中心を通り、長手方向中心軸を中心に屈曲され、陰唇間に挟み込まれて装着される陰唇間パッドであって、
前記表面シートに、短手方向に沿って形成されて前記中心軸を曲げ可能とする複数列の曲げ可能部を長手方向に沿って設けたことを特徴とする陰唇間パッド。
【請求項２】
請求項１記載の陰唇間パッドであって、
前記曲げ可能部は、短手方向に沿って連続して設けられ、表面シートを構成する繊維質材の密度が高い複数列の高密度部間の低密度部であることを特徴とする陰唇間パッド。
【請求項３】
請求項１又は請求項２記載の陰唇間パッドであって、
前記曲げ可能部は、表面シートを構成する繊維質材がストレッチ構造において延伸されて形成される高密度部間の低密度部であることを特徴とする陰唇間パッド。
【請求項４】
請求項１又は請求項２記載の陰唇間パッドであって、
前記曲げ可能部は、表面シートを構成する繊維質材がエンボス加工により形成される高密度部間の低密度部であることを特徴とする陰唇間パッド。
【請求項５】
請求項１又は請求項２記載の陰唇間パッドであって、
前記曲げ可能部は、表面シートを構成する繊維質材がコルゲート加工により形成される高密度部間の低密度部であることを特徴とする陰唇間パッド。
【請求項６】
請求項１乃至請求項５のいずれか１項に記載の陰唇間パッドであって、
前記曲げ可能部は、前記吸収体に設けられたスリットの位置に対応して形成されていることを特徴とする陰唇間パッド。
【発明の詳細な説明】
【技術分野】
【０００１】
本発明は、陰唇に着用される陰唇間パッドに関する。
【背景技術】
【０００２】
第１の従来の陰唇間パッドとして、液体透過性トップシートと、液体難透過性バックシートと、これらの間に配置された吸収体とからなり、長手方向中心線に沿った曲げ軸を備えたものがある（特許文献１参照）。この陰唇間パッドは曲げ軸に沿って折られて着用者の陰唇内に挿入されることにより、トップシートが着用者の陰唇内に挿入される。このことによりトップシートが着用者の陰唇内壁との接触を維持し、一貫した覆い範囲を有した構造となっている。
【０００３】
又、他の従来（特許文献２）の陰唇間パッドとして、着用者の前庭床と当接する前庭床当接領域と着用者の陰唇内壁に当接する内壁当接領域とを備え、前庭床当接領域を構成する各繊維の自由度を内壁当接領域を構成する各繊維の自由度よりも高くなるように繊維の分布を調整したものがある。
【特許文献１】特表２００１−５０６１６８号公報
【特許文献２】ＷＯ２００５−５５９０２号公報
【発明の開示】
【発明が解決しようとする課題】
【０００４】
一般に陰唇間パッドの着用者が運動したとき、足や臀部の筋肉の動きに伴って陰唇内の形状も変動する。しかし、第１の従来の陰唇間パッドでは、パッドの曲げ軸が長手方向中心線だけであるため、陰唇形状の変動に追従して伸縮することができず、陰唇とパッドとの間に隙間が発生し、隙間から経血が洩れたり、陰唇間パッドが脱落する問題を有している。また、陰唇間パッドの不規則に折れた箇所が陰唇を圧迫して刺激を与える問題もある。
【０００５】
第２の従来の陰唇間パッドにおいても、易変形性を有する部分が前庭床当接領域だけであるため、陰唇の左右方向の動きや陰唇の外側の動きに追従することができず、陰唇とパッドの間に隙間が発生し隙間から経血が洩れたり、陰唇間パッドが脱落したりする問題を有している。
【０００６】
そこで、本発明は、着用者の動きに良好に追随して変形することができ、これにより、経血の洩れや着用者からの脱落を防止することが可能な陰唇間パッドを提供することを目的とする。
【課題を解決するための手段】
【０００７】
請求項１の発明の陰唇間パッドは、肌当接面側の液透過性の表面シートと、裏面シートと、前記表面シートと前記裏面シートとの間に介在されて体液を吸収し保持可能な吸収体とで形成され、短手方向の中心を通り、長手方向中心軸を中心に屈曲され、陰唇間に挟み込まれて装着される陰唇間パッドであって、前記表面シートに、短手方向に沿って形成されて前記中心軸を曲げ可能とする複数列の曲げ可能部を長手方向に沿って設けたことを特徴とする。
【０００８】
請求項２の陰唇間パッドは、請求項１記載の陰唇間パッドであって、前記曲げ可能部は、短手方向に沿って連続して設けられ、表面シートを構成する繊維質材の密度が高い複数列の高密度部間の低密度部であることを特徴とする。
【０００９】
請求項３の陰唇間パッドは、請求項１又は請求項２記載の陰唇間パッドであって、前記曲げ可能部は、表面シートを構成する繊維質材がストレッチ構造において延伸されて形成される高密度部間の低密度部であることを特徴とする。
【００１０】
請求項４の陰唇間パッドは、請求項１又は請求項２記載の陰唇間パッドであって、前記曲げ可能部は、表面シートを構成する繊維質材がエンボス加工により形成される高密度部間の低密度部であることを特徴とする。
【００１１】
請求項５の陰唇間パッドは、請求項１又は請求項２記載の陰唇間パッドであって、前記曲げ可能部は、表面シートを構成する繊維質材がコルゲート加工により形成される高密度部間の低密度部であることを特徴とする。
【００１２】
請求項６の陰唇間パッドは、請求項１乃至請求項５のいずれか１項に記載の陰唇間パッドであって、前記曲げ可能部は、前記吸収体に設けられたスリットの位置に対応して形成されていることを特徴とする。
【発明の効果】
【００１３】
本発明によれば、表面シートに複数列の曲げ可能部を形成することにより、陰唇間パッドが着用者の動きに良好に追随して変形する。このことにより、経血の洩れや着用者からの脱落を防止することができる。
【発明を実施するための最良の形態】
【００１４】
図１〜図８は、本発明の第１実施形態を示し、図１は陰唇間パッドの斜視図、図２は図１のＡ−Ａ線における陰唇間パッドの断面図、図３は陰唇周辺の概念図、図４は陰唇間パッドの着用状態の概念図、図５は吸収体の斜視図、図６は作用を説明する断面図、図８は着用状態の概念図である。
【００１５】
本実施形態の陰唇間パッド１は、表面シート２に、短手方向に沿って形成されて中心軸Ｌを曲げ可能とする複数列の曲げ可能部１６を長手方向に沿って設けたことを特徴としている。
【００１６】
図１に示すように、陰唇間パッド１は、三角錐の立体形状で長手方向の中心線に対して軸対称な形状となっている。陰唇間パッド１の内部は、図２に示すように、肌当接側の液透過性の表面シート２と、衣服当接側の裏面シート４と、表面シート２と裏面シート４の間に配置された吸収体３とを備えており、これらが接着剤によって接着されている。図２において、符号５はミニシート片、符号６は指挿入口である。陰唇間パッド１は、装着者の前後方向に縦長であり、この方向を長手方向となる。又、長手方向に垂直な方向が短手方向となる。
【００１７】
図３に示すように、着用者の陰唇周囲は、陰核８、前庭床９、膣１０、小陰唇１１、肛門１２、臀部１３となっている。陰唇間パッド１は図４に示すように、長手方向中心軸Ｌを中心に２つ折りに屈曲され、中心軸付近の少なくとも一部が陰唇内の前庭床９に接するように、陰唇間の小陰唇１１に少なくとも一部が挟まれて着用される。陰唇間パッド１を構成する材料としては、トイレに流して処理することが可能な水分散性素材、水崩壊性素材、生分解性素材又は水溶性素材が好ましい。
【００１８】
表面シート２は液透過性であり、且つ親水性で肌に刺激を与えない水解性材料を使用することができる。例えば、湿式スパンレース等によって製造される不織布を単独又はこれらを複合した材料が用いられることができる。
【００１９】
陰唇間パッド１における表面シート２は、使用中に表面シート２と陰唇内壁がずれて異物感が発生するのを防ぐために、肌への貼り付き性の高いセルロース系の親水性繊維を主体とした材料が用いられる。
【００２０】
例えば、親水性繊維が３０〜６０質量％、細径疎水性繊維が２０〜５０質量％、太径疎水性繊維が１０〜３０質量％の比率で混合した繊維配合を２０ｇ／ｍ２以下の範囲で調整した後、水流交絡により繊維同士を絡合させて乾燥させ、厚みを０．３ｍｍ以上１．０ｍｍ以下の範囲で調整した繊維長が１〜２０ｍｍの範囲から構成される湿式スパンレース不織布を用いることができる。
【００２１】
これに限らず、表面シート２としては、繊度が１．１ｄｔｅｘで繊維長が７ｍｍのレーヨンと、繊度が０．４ｄｔｅｘで繊維長が１０ｍｍのＰＥＴ、繊度が２．２ｄｔｅｘで繊維長が１０ｍｍの捲縮ＰＥＴから構成され、目付を３５ｇ／ｍ２に調整した湿式スパンレース不織布を用いることができる。
【００２２】
吸収体３は、液体（体液）を吸収保持できるものであれば材料は特に限定されないが、嵩高で型崩れしにくく、化学的刺激が少ないものであることが好ましい。吸収体３に使用する材料としては、パルプ、化学パルプ、レーヨン、アセテートレーヨン、天然コットン、高分子吸収体、繊維性高分子吸収体、合成繊維を単独又はこれらを混合したものを用いることができる。
【００２３】
吸収体３は、エアレイドパルプ、高分子吸収体を混合したエアレイドパルプ、親水処理を施したメルトブローン不織布、親水性繊維を主体としたスパンレース不織布、ティッシュ、親水処理を施した連続発泡体、セルロース発泡体とすることにより製造することができる。このとき、必要に応じて重ねたり、折り重ねることにより嵩高を適宜調整する。又、吸収体３はシート形状に限定されず、例えば、粉砕状に加工して使用しても良く、形態は特に限定されない。
【００２４】
シート形状又は粉砕加工等により得られた積層体には、エンボス加工を施しても良い。エンボス面積は０．１％以上６０％以下であることが好ましく、１以上３０％以下の範囲であることが特に好ましい。
【００２５】
積層体としては、繊度が３．３ｄｔで繊維長が７ｍｍのレーヨンが４０〜１００％と、繊度が２．２ｄｔで繊維長が１０ｍｍの捲縮ＰＥＴが０〜３０％と、叩解パルプが０〜３０％と、静電気防止剤とから構成された湿式スパンレース不織布をガーネットミル等の解繊機で繊維をほぐして、目付を５０〜１０００ｍｇ／ｍ２、好ましくは１００ｇ／ｍ２〜８００ｇ／ｍ２の範囲で積層した後、ドット状のパターンでエンボス加工を施して厚みを２〜１０ｍｍに調節することにより作製することができる。積層体からなる吸収体３は、楕円型、瓢箪型、雫型、ハート型等の周縁形状に切断されるが、陰唇に適合する形状であれば特に限定されない。
【００２６】
吸収体３に柔軟性を持たせるために、スリット加工が施されているのが好ましい。図５はスリット１４が施された吸収体３を示す。スリット１４は短手方向に沿って形成される。スリット１４を施す箇所としては、最も身体の変動が大きい短手方向の折り起点となるように陰唇内壁に当接する領域、陰唇間パッドの２つ折り部の剛性を低くするために長手方向の中心軸Ｌ、或いは身体からはみ出る部分が身体に沿って規則的に折れる周縁部等を選択することができる。
【００２７】
裏面シート４は、少なくとも一部に所定の耐水性を有するシートである。吸収体３としては、吸収体３が吸収できる液体の最大量の７０％以下の吸収量である場合、裏面シート４は液の透過と障壁となる耐水性を有し、吸収量が７０％を超えると、液体を裏面シート４側から流出できる液透過性を有した素材を用いることができる。
【００２８】
裏面シート４に耐水性を付与するための素材としては、サイズ剤等の耐水処理を含有した湿式スパンレース不織布などを選択することができる。具体的には、裏面シート４としては、親水性繊維が３０〜６０質量％、細径疎水性繊維が２０〜５０質量％太径疎水性繊維が１０〜３０質量％の比率で混合した繊維配合に対し、耐水処理剤であるサイズ剤を裏面シート中に含まれる繊維に対して０．１質量％以上１０質量％添加し、目付を２０ｇ／ｍ２以上５０ｇ／ｍ２以下の範囲で調整した後、水流交絡により繊維同士を絡合させて乾燥させ、厚みを０．３ｍｍ以上１．０ｍｍ以下の範囲で調整した繊維長が１〜２０ｍｍの範囲の湿式スパンレース不織布を用いることができる。
【００２９】
又、これに限らず、裏面シート４としては、繊度が１．１ｄｔｅｘで繊維長が７ｍｍのレーヨンと、繊度が０．４ｄｔｅｘで繊維長が１０ｍｍのＰＥＴと、繊度が２．２ｄｔｅｘで繊維長が１０ｍｍの捲縮ＰＥＴと、耐水処理剤としてのサイズ剤とから構成され、目付を３５ｇ／ｍ２に調整した湿式スパンレース不織布を用いることができる。  裏面シート４の材料としては、上記以外にも適した耐水性と液透過性を有し、水分散性を有する材料であれば他の繊維種からなる不織布や水解性フィルムを用いることもできる。
【００３０】
接着剤は接合されるシート片の材料によって使い分ける。例えば、繊維長１〜２０ｍｍ以下の繊維から構成される水解可能な湿式スパンレースを用いた裏面シート４と吸収体３とを接合する場合、これらのシート片との間に塗布される接着剤として、スチレン−エチレン・ブタジエン−スチレンブロック共重合体（ＳＥＢＳ）、スチレン−ブタジエン−スチレンブロック共重合体（ＳＢＳ）、スチレン−イソプレン−スチレンブロック共重合体（ＳＩＳ）等の合成ゴムを主体とした感圧接着剤やＥＶＡ等の合成ゴムを主体とした感熱型接着剤を用いることができる。いずれの接着剤を使用した場合においても、塗工パターンがドット状やレンガ状等の間欠パターンとすることにより、間欠部分から繊維がほぐれるため浄化槽内で分散可能となり、散気管に絡み付くといった浄化槽への負荷は与えにくくなる。
【００３１】
塗工パターンは、水流等の物理的衝撃で崩壊する線径や物理的衝撃でちぎれやすいパターン形状であれば必ずしも間欠である必要はない。接着剤が水によって物性が変化しにくいタイプの感圧型接着剤や感熱型接着剤であっても、接着剤によって一体化されるシート材料が水によって崩壊するため、接着剤がひも状で残ることなく浄化槽で分散することが可能となるからである。
【００３２】
接着剤のその他の材料としては、水により物性が変化しやすい感水性接着剤や、微生物等により物性が変化する生分解性接着剤を用いることができ。このような接着剤を使用する場合、裏面シート４が水崩壊性材料であっても生分解性材料であってもかまわない。又、接着剤の塗布パターンも限定されない。この接着剤の具体例としては、感水性接着剤としての水溶性高分子からなるポリビニルアルコール、カルボキシルメチルセルロース、ゼラチン等又は水膨潤性高分子からなるポリビニルアセテートやポリアクリル酸ナトリウム等を用いることができる。生分解性材料としては、デンプン、アルギン酸ナトリウム、グアーガム、ジェランガム等を用いることができる。又、これらを架橋させてゲル状にして使用しても良い。材料同士の接着性と浄化槽での分散性を両立させるために好ましい接着剤の塗布パターンとしては、ＳＥＢＳ系感圧型接着剤を用い、直径３ｍｍのドット状のパターンを７ｍｍピッチで塗布するのが良好である。
【００３３】
本発明の陰唇間パッド１では、表面シート２に対して短手方向に沿って形成され、長手方向の中心軸Ｌを曲げ可能とする複数列の曲げ可能部を長手方向に沿って設けるものである。曲げ可能部を形成することにより、陰唇間パッド１が陰唇の変形に追従して伸縮することが可能となる。この曲げ可能部は、長手方向中心軸Ｌから短手方向端部まで連続して設けられている。この実施形態において、曲げ可能部は、表面シート２を構成する繊維質材がストレッチ加工により延伸されて形成される高密度部１５間の低密度部１６である。
【００３４】
また、曲げ可能部は、表面シート２を構成する繊維質材がエンボス加工により形成される高密度部間の低密度部であっても良い。
【００３５】
さらに、曲げ可能部は、表面シート２を構成する繊維質材がコルゲート加工により形成される高密度部間の低密度部であっても良い。
【００３６】
ストレッチ加工により形成されるストレッチ構造７は図６に示すように、短手方向に沿って連続した長さとなるように設けられている。この場合、ストレッチ構造７は後述する図７に示すように、吸収体３に形成したスリット１４に対応して形成されるものである。ストレッチ構造７は、長手方向と垂直な方向に高密度部１５と低密度１６が繰り返される構造であり、高密度部１５を起点として低密度部１６が折れ曲がり全体として折り畳まれる微細な蛇腹様構造となっている。
【００３７】
ストレッチ構造７は表面シート２を延伸加工することにより形成することができる。ストレッチ構造７を施す手段としては、直線状の溝が繰り返されるロールの間にシートを通すコルゲート加工、又は凹凸のあるエンボスロールにシートを通すエンボス加工などを用いることができる。又、シートをロールに加熱した条件で通し、熱融着繊維を融着させて凹凸形状を固定させても良い。折れ起点を形成するために、シート上に平行に繰り返し並んだ直線が一定の間隔で剛性差を有するように加工できる手段であれば、どのような方法を用いても良いが、着用時における表面シートが陰唇内壁の皮膚に与える違和感を考慮する場合には、表面の剛性差が少ないコルゲート加工が好ましい。又、廃棄時の水分散性を考慮する場合には、物理的に崩壊し易い低密度部が形成されるエンボス加工が好ましい。
【００３８】
ストレッチ構造７が設けられたシートは、外部から力が加わるとき、すなわち陰唇の形状が変化したときに高密度部を起点に折り畳まれる微細な蛇腹構造によって伸縮する。折り起点（高密度部１５）と折り起点（高密度部１６）の間隔が短い場合、折り畳まれて変化する量が少なく、又折り目の数が増えるため伸縮する効率が悪く、陰唇間パッド１が陰唇の動きに応じて速やかに伸縮することが困難となる。このことから、高密度部すなわち賦形パターンのピッチは１ｍｍ以上が好ましい。
【００３９】
又、折り起点（高密度部１５）と折り起点（高密度部１５）の間隔が長い場合、折り畳まれて変化する量が大きくなるため、陰唇間パッド１が陰唇の細かい形状変化に応じて伸縮することが困難となる。このことから、折り起点と折り起点の間隔は５ｍｍ以下であることが好ましい。
【００４０】
ストレッチ構造が設けられる領域は、陰唇間パッド１が最も変形する吸収体３の可変領域、すなわち陰唇間パッド１が身体に沿って折れ曲がる方向の短手方向（幅方向）に連続する領域である。すなわち、図５に示すように吸収体３の可変領域に施されたスリット１４と表面シート２が一致する部分にストレッチ加工を施す（図７参照）。このようなストレッチ構造７を表面シート２に設けることにより、陰唇間パッド１が短手方向に入ったスリット１４を折り起点として折れ曲がると、表面シート２には延伸可能なストレッチ構造７が施されているので吸収体３の山折りに沿って延び、谷折り側に沿って縮むことができる。これにより表面シート２は吸収体３に合わせた伸縮が可能となる。
【００４１】
図７は表面シート２のストレッチ７の加工領域が吸収体３のスリット１４と一致する場合の作用を説明するものである。図７（ａ）及び（ｂ）に示すように、陰唇間パッド１が身体の動きに合わせて変形するとき、吸収体３はスリット１４形成部分を折れ起点として折れ曲がる。吸収体３の湾曲した箇所の表面の高い距離は、山折り側は距離が長くなり、谷折り側は距離が短くなる。それに伴って図７（ｃ）で示すように、吸収体３を覆う表面シート２も湾曲した吸収体３に合わせて山折り側が伸び、谷折り側が縮むことで吸収体３に合わせて伸縮する。このように最も変動する吸収体３のスリット１４と一致する箇所に合わせてストレッチ構造７を形成することにより、陰唇間パッドの全体が不規則に折れ曲がったり、吸収体３だけで折れて吸収体３の端部が表面シート２から突出して表面シート２を破ったりすることを防止できる。
【００４２】
以上のように高密度部と低密度部とを交互に繰り返して変形した蛇腹様のストレッチ構造７を設けることにより、陰唇間パッド１は折り畳まれて収縮する又は広げられて延伸することが可能となる。さらに、隣り合う折り目が垂直平行な方向へと動くこともできるので、陰唇に対し垂直な方向においても自由に折り曲げ可能となる。従って、陰唇間パッド１は、長手方向だけでなく垂直方向や左右方向へ伸縮可能であり、陰唇の形状変化に伴うストレッチ性を発揮する。このような陰唇間パッド１では臀部や両脚の動きに伴って最も変動しやすい小陰唇や大陰唇、すなわち陰唇内壁に当接する領域が収縮するので、身体の動きに対する追従性が高くなる。
【００４３】
図８はこの実施形態の陰唇間パッド１の着用状態を示す。陰唇間パッドを着用したときに、陰唇の外側に位置する領域にもストレッチ性をもたせることができ、パッド１の陰唇からはみでた部分が股間周辺の身体の丸みや太ももの付け根に沿った形状へと規則的に変形することができる。
【００４４】
さらに、表面シート２にエンボス加工やコルゲート加工を施す領域を陰唇内壁にあたる領域、又は陰唇からはみ出る領域とした場合においては、着用者は装着時に身体に対し陰唇間パッド１を着用する位置をエンボス加工の有無によって視覚によって認識することができる。
【００４５】
エンボス加工等によってストレッチ構造７を形成する領域が陰唇内壁に対応する領域の場合、陰唇間パッド１は陰唇内壁に追従したストレッチ性を発揮する。陰唇内壁は、着用者が座る・歩く時の臀部と脚の動きに合わせて変形する。例えば、着用者が座っている時、「前陰唇交連から膣口」部分と「膣口部分から後陰唇交連」部分は膣口方向へ押し出されて、陰唇内は膣口を頂点とした略三角形状になる。それに伴い、陰唇間パッド１の陰唇にあたる領域では、吸収体３及び表面シート２が膣口を折れ起点として屈曲するため、陰唇の略三角形状に合わせて変形することができる。
【００４６】
図９〜図１０は、本発明の別の実施形態を示す。この実施形態において、図９に示すように、表面シート２のストレッチ構造７が陰唇からはみ出る領域に設けられている。
【００４７】
このようにストレッチ構造７の形成領域が陰唇からはみ出る領域の場合、陰唇間パッドは着用者の陰唇の外側に沿って変形する。例えば、着用者が陰唇間パッドを身体に付け、ショーツを引き上げると、図１０に示すように、陰唇間パッド１の陰唇からはみ出た部分はショーツ又はナプキンと身体の間に挟まれた状態になる。このとき陰唇間パッドの陰唇からはみ出た部分は身体の曲線に沿って前後が外側に折れ曲がりやすくなる。従って、陰唇間パッド１が着用者の陰唇の外側の曲線に沿って三日月状に変形し、着用者に密着しやすい。
【００４８】
又、着用者が陰唇間パッド１を身体に付けてショーツを引き上げると、陰唇間パッド１の陰唇からはみ出た部分は、ショーツ又はナプキンと身体の間に挟まれた状態となる。このとき陰唇間パッド１の前後にはみ出た部分は前後が陰唇に向けて折れ曲がり、前後陰唇交連の内側に入り込みやすくなる。このように陰唇間パッドのはみ出た部分が前後陰唇交連の内側に入り込むことにより、ショーツと陰唇間パッド１の余剰な部分が接触しにくくなる。したがって、ショーツに押されることにより陰唇間パッド１に不規則な皺や着用者との間に空間が発生しにくくなるため着用者は違和感を感じることがない。
【００４９】
以上説明したように、本発明によれば、着用者が運動し、陰唇内壁が前後左右に動き形状が変形した場合でも、陰唇間パッド１が陰唇の動きに伴って伸縮することができるため、陰唇間パッド１と陰唇内壁との間に隙間が生じることがなく、パッドと陰唇内壁は密着し続けることが可能である。このため、陰唇間パッド１が陰唇との隙間からずれて脱落することがなくなる。又、経血が陰唇と陰唇間パッド１の隙間を通ってショーツへ洩れることもなくなる。さらに陰唇間パッド１が陰唇の中で折れ曲がって端部が陰唇に過度な刺激を与えることを防止できる。陰唇間パッド１は着用者の陰唇内だけでなく股間周辺の身体の表面に沿って変形することができるため、着用者に密着しやすく、また、ショーツと陰唇間パッド１が接触し、ショーツに押されることによる陰唇間パッド１と身体の間の違和感も軽減することができる。
【００５０】
なお、上記各実施形態では、曲げ可能部を形成する加工方法としてストレッチ加工を例に取って説明したが、表面シートを構成する繊維質材に高密度部と低密度部を交互に形成できる加工であればストレッチ加工以外の加工でも良い。例えば、櫛状の治具によって筋を入れることで形成することもできる。
【図面の簡単な説明】
【００５１】
【図１】陰唇間パッドの斜視図である。
【図２】図１のＡ−Ａ線断面図である。
【図３】着用者の陰唇周辺の概略図である。
【図４】陰唇間パッドの着用時の概略図である。
【図５】スリットを形成した吸収体の斜視図である。
【図６】表面シートの膣当接部分の短手方向にストレッチ構造を設けた実施形態の斜視図である。
【図７】（ａ）〜（ｃ）は陰唇間パッドの変形を説明する断面図である。
【図８】陰唇間パッドが陰唇内壁に追従して変形した状態を示す概略図である。
【図９】表面シートの身体からはみ出る領域にストレッチ構造を設けた実施形態の斜視図である。
【図１０】陰唇の外側にはみ出た場合の変形状態を示す概念図である。
【００５２】
を示す概略図である。
【符号の説明】
【００５３】
１  陰唇間パッド
２  表面シート
３  吸収体
４  裏面シート
７  ストレッチ構造
８  陰核
９  前庭床
１０  膣
１１  小陰唇
１２  肛門
１３  臀部
１４  スリット
【図１】
2009240673.tif 000003
【図２】
2009240673.tif 000004
【図３】
2009240673.tif 000005
【図４】
2009240673.tif 000006
【図５】
2009240673.tif 000007
【図６】
2009240673.tif 000008
【図７】
2009240673.tif 000009
【図８】
2009240673.tif 000010
【図９】
2009240673.tif 000011
【図１０】
2009240673.tif 000012